(57)【要約】【課題】光信号の波長多重伝送を行う端局装置及び波長多重伝送制御方法に関し、波長分散値の大幅な変動時の迅速な復旧を図る。【解決手段】複数のトランスポンダと波長多重分離部と監視制御部とを含む端局装置間で光信号波長を多重化して送受信し、各トランスポンダは、波長分散補償値を設定変更可能の波長分散補償手段と、受信光信号レベル検出手段と、フレーム同期検出手段とを含み、監視制御部２は、複数のトランスポンダのＬＯＬ検出信号とＬＯＦ検出信号とに基づいて、トランスポンダの波長分散補償値を、相互間で大きい差となるように変更設定して、信号疎通状態となるトランスポンダをチェックし、ＬＯＬ及びＬＯＦの解除により信号疎通状態となったトランスポンダの波長分散補償値を基準にして、他のトランスポンダの波長分散補償値を、正常運用時の波長分散補償値の差分に従った差分の波長分散補償値に修正する。【選択図】図１
2010187081.tif 000002
【特許請求の範囲】
【請求項１】
複数のトランスポンダと、該複数のトランスポンダにより送受信するそれぞれ異なる波長の光信号の多重化及び多重分離を行う波長多重分離部と、前記複数のトランスポンダの監視制御を行う監視制御部とを含む端局装置に於いて、
前記トランスポンダは、受信光信号に対する波長分散補償値を設定変更可能の波長分散補償手段と、受信光信号レベル検出手段と、フレーム同期検出手段とを含む構成を有し、
前記監視制御部は、前記トランスポンダ対応の正常運用状態に於ける前記波長分散補償値又はトランスポンダ相互間の前記波長分散補償値の差分の情報を保持する制御テーブルを備えると共に、前記複数のトランスポンダの前記受信光信号レベル検出手段によるＬＯＬ検出信号と前記フレーム同期検出手段によるＬＯＦ検出信号との何れか一方又は両方により、前記トランスポンダの波長分散補償手段の波長分散補償値を前記トランスポンダ相互間で大きい差となるように変更設定し、信号疎通状態となったトランスポンダの波長分散補償値を基準にして他のトランスポンダの波長分散補償値を、前記制御テーブルを参照して正常運用状態に於ける差分に対応した修正波長分散補償値として設定する制御手段を備えた
ことを特徴とする端局装置。
【請求項２】
複数のトランスポンダと波長多重分離部と監視制御部とを含む端局装置間で光信号波長を多重化して送受信する波長多重伝送制御方法に於いて、
前記トランスポンダは、波長分散補償値を設定変更可能の波長分散補償手段と、受信光信号レベル検出手段と、フレーム同期検出手段とを含み、前記監視制御部は、前記複数のトランスポンダの前記受信光信号レベル検出手段によるＬＯＬ検出信号と前記フレーム同期検出手段によるＬＯＦ検出信号との何れか一方又は両方により、前記トランスポンダの波長分散補償手段の波長分散補償値を前記トランスポンダ相互間で大きい差となるように変更設定して、信号疎通状態となるトランスポンダをチェックし、ＬＯＬ解除且つＬＯＦ解除により信号疎通状態となったトランスポンダの波長分散補償値を基準にして、他のトランスポンダの波長分散補償値を、正常運用時の各トランスポンダの波長分散補償値の差分に従った差分の波長分散補償値に修正する過程を含む
ことを特徴とする波長多重伝送制御方法。
【発明の詳細な説明】
【技術分野】
【０００１】
本発明は、波長多重光信号の各光波長対応に波長分散値を補償して受信処理する端局装置及び波長多重伝送制御方法に関する。
【背景技術】
【０００２】
複数の波長の光信号を多重化して光ファイバからなる光伝送路により伝送するＷＤＭ（Ｗａｖｅｌｅｎｇｔｈ  Ｄｉｖｉｓｉｏｎ  Ｍｕｌｔｉｐｌｅｘ）方式が実用化されている。例えば、図４に示すように、端局装置１００，２００間を光伝送路により接続し、その光伝送路の所定距離毎に、中継装置３００を配置して波長多重光信号を増幅する。端局装置１００，２００は、トランスポンダ部１０１，２０１と、監視制御部１０２，２０２と、波長多重分離部１０３，２０３と、光増幅部１０４，２０４とを含む構成を有し、中継装置３００は、光増幅部３０１と、監視制御部３０２とを含む構成を有するもので、この中継装置３００は、端局装置１００，２００間が近距離であれば省略可能であり、又相互間の距離に応じて単一又は複数設置される。
【０００３】
端局装置１００，２００のトランスポンダ部１０１，２０１は、それぞれ複数のトランスポンダを有し、それぞれ異なる波長の光信号により各種情報の送受信処理を行うものであり、送信光信号は、波長多重分離部１０３，２０３により多重化し、光増幅部１０４，２０４により増幅して光伝送路に送信し、中継装置３００の光増幅部３０１により波長多重光信号を増幅して中継送信する。中継装置３００の監視制御部３０２は、光増幅部３０１の入出力光信号レベルを監視して、所定の出力光信号レベルとなるように増幅率等を制御する。又光伝送路を介して受信した波長多重光信号を、光増幅部１０４，２０４により増幅し、波長多重分離部１０３，２０３により、トランスポンダ部１０１，２０１のトランスポンダ対応に分離して、各トランスポンダに入力し、それぞれ受信処理する。又端局装置１００，２００の監視制御部１０２，２０２は、トランスポンダ部１０１，２０１の各トランスポンダの送受信光信号の波長の設定制御と、波長多重分離部１０３，２０３の各トランスポンダ対応に光信号を分離して分配する波長分離分配手段の設定制御と、光増幅部１０４，２０４の増幅率の制御等を行う。
【０００４】
又単一波長の光信号により各種情報を伝送する場合、その光信号の波長を光ファイバの零分散波長に選定することが知られている。又複数波長の光信号を多重化して伝送するＷＤＭ方式では、光ファイバの零分散波長以外の波長の光信号も使用するから、波長分散補償手段を設ける場合が一般的であり、光信号波長対応にそれぞれ波長分散補償手段を設けることも知られている。又光伝送路の距離によって波長分散量が相違するから、光伝送路を切替えた場合に、光伝送路長に対応した特性の波長分散補償手段を切替えると共に、光増幅器の増幅率を制御する手段が提案されている（例えば、特許文献１参照）。
【０００５】
又現用予備等の複数の光伝送路対応に、可変光減衰器ＶＯＡ（Ｖａｒｉａｂｌｅ  Ｏｐｔｉｃａｌ  Ａｔｔｅｎｕａｔｏｒ）と、可変分散補償器ＶＤＣＭ（Ｖａｒｉａｂｌｅ  Ｄｉｓｐｅｒｓｉｏｎ  Ｃｏｍｐｅｎｓａｔｉｏｎ  Ｍｏｄｕｌｅ）とをそれぞれ設け、総ての光伝送路に於ける光損失値と波長分散値とがそれぞれ等しくなるように設定制御し、光伝送路切替えによる波長多重光信号の伝送特性が等しくなるように構成した波長多重化送受信手段も提案されている（例えば、特許文献２参照）。又波長多重光信号の波長対応に、光増幅器、波長分散補償器、光検出器、制御部等を含む構成のトランスポンダを備え、ＬＯＬ（Ｌｏｓｓ  ｏｆ  Ｌｉｇｈｔ）検出閾値設定時に、光伝送路の伝送特性を基に、光増幅器の増幅率を設定し、波長分散補償器の補償量を調整して、ＬＯＬ検出レベルを設定する手段も提案されている（例えば、特許文献３参照）。
【先行技術文献】
【特許文献】
【０００６】
【特許文献１】特開２０００−２３６２９８号公報
【特許文献２】国際公開ＷＯ２００４／０４５１１４号公報
【特許文献３】特開２００８−２３６１１６号公報
【発明の概要】
【発明が解決しようとする課題】
【０００７】
波長多重伝送システムに於いては、４０Ｇｂｐｓ又はそれ以上の１００Ｇｂｐｓの伝送速度で波長多重光信号を伝送する構成が知られており、このような高速伝送システムは、波長対応の光信号に対する波長分散量の許容値が小さくなり、従って、波長多重光信号の受信側では、多重分離した波長対応の光信号に対する可変波長分散補償器を設けることにより対処する構成が一般的である。又光伝送路は、道路や橋梁に沿って敷設される場合が多く、その道路や橋梁の変更工事等に従って、径路変更移転工事が行われる場合がある。このような工事により、光伝送路の長さが変化し、波長分散量も変化することになる。それにより、トランスポンダ部の光信号受信側に於いて、光信号の受信レベルの低下によるＬＯＬ検出の状態となるか、又は受信レベルが受信閾値を超えているとしても、波長分散量が変化して光信号波形の変形が大きくなることによって、フレーム同期がとれない状態、即ち、ＬＯＦ（Ｌｏｓｓ  ｏｆ  Ｆｒａｍｅ）検出の状態となる場合がある。全トランスポンダ或いは大多数のトランスポンダが、このようなＬＯＬ検出又はＬＯＦ検出の状態となると、端局装置間で波長多重光信号による通信ができない状態となる。又自動波長分散補償器を設けている場合は、ＬＯＬ解除又はＬＯＦ解除となるまで分散補償量の自動調整を継続することになり、ＬＯＬ解除及びＬＯＦ解除となって、信号疎通状態となるまでに要する時間が長くなる問題がある。
【０００８】
本発明は、前述の従来例の問題点を解決することを目的とするものであり、波長多重光信号対応の波長分散補償量の変化によるフレーム同期がとれない受信状態となった場合に、迅速に正常状態に復帰することを可能とするものである。
【課題を解決するための手段】
【０００９】
前述の課題を解決する為に、本発明の端局装置は、複数のトランスポンダと、これらのトランスポンダにより送受信するそれぞれ異なる波長の光信号の多重化及び多重分離を行う波長多重分離部と、複数のトランスポンダの監視制御を行う監視制御部とを含む端局装置であって、各トランスポンダは、受信光信号に対する波長分散補償値を設定変更可能の波長分散補償手段と、受信光信号レベル検出手段と、フレーム同期検出手段とを含む構成を有し、監視制御部は、トランスポンダ対応の正常運用状態に於ける波長分散補償値又はトランスポンダ相互間の波長分散補償値の差分の情報を保持する制御テーブルを備えると共に、複数のトランスポンダの受信光信号レベル検出手段によるＬＯＬ検出信号と、フレーム同期検出手段によるＬＯＦ検出信号との何れか一方又は両方により、トランスポンダの波長分散補償手段の波長分散補償値を、トランスポンダ相互間で大きい差となるように変更設定し、信号疎通状態となったトランスポンダの波長分散補償値を基準にして他のトランスポンダの波長分散補償値を、制御テーブルを参照して正常運用状態に於ける差分に対応した修正波長分散補償値として設定する制御手段を備えている。
【００１０】
又本発明の波長多重伝送制御方法は、複数のトランスポンダと波長多重分離部と監視制御部とを含む端局装置間で光信号波長を多重化して送受信する波長多重伝送制御方法であって、トランスポンダは、波長分散補償値を設定変更可能の波長分散補償手段と、受信光信号レベル検出手段と、フレーム同期検出手段とを含み、監視制御部は、複数のトランスポンダの受信光信号レベル検出手段によるＬＯＬ検出信号とフレーム同期検出手段によるＬＯＦ検出信号との何れか一方又は両方により、トランスポンダの波長分散補償手段の波長分散補償値を、トランスポンダ相互間で大きい差となるように変更設定して、信号疎通状態となるトランスポンダをチェックし、ＬＯＬ解除且つＬＯＦ解除により信号疎通状態となったトランスポンダの波長分散補償値を基準にして、他のトランスポンダの波長分散補償値を、正常運用時の各トランスポンダの波長分散補償値の差分に従った差分の波長分散補償値に修正する過程を含むものである。
【発明の効果】
【００１１】
複数のトランスポンダの正常運用時の波長分散補償値は、それぞれ比較的近似した値を有するものであり、ＬＯＬ検出且つＬＯＦ検出時には、それらの波長分散補償値では、変化して波長分散値を補償できない状態であり、複数のトランスポンダ対応の波長分散補償値を比較的大きな差分で一時的に設定変更することにより、何れかのトランスポンダではＬＯＬ解除且つＬＯＦ解除の信号疎通状態となるから、そのトランスポンダの波長分散補償値を基準として、他のトランスポンダの波長分散補償値を、正常運用時のそれぞれの差分に従った差分となるように修正することにより、全トランスポンダを信号疎通状態に復帰させることができる。
【図面の簡単な説明】
【００１２】
【図１】本発明の実施例１の説明図である。
【図２】本発明の実施例１のトランスポンダの説明図である。
【図３】本発明の実施例１の動作説明図である。
【図４】波長多重伝送システムの説明図である。
【発明を実施するための形態】
【００１３】
本発明の端局装置は、図１を参照して説明すると、複数のトランスポンダ１−１〜１−ｎと、これらのトランスポンダ１−１〜１−ｎにより送受信するそれぞれ異なる波長の光信号の多重化及び多重分離を行う波長多重分離部３と、複数のトランスポンダ１−１〜１−ｎの監視制御を行う監視制御部２とを含む端局装置であって、各トランスポンダ１−１〜１−ｎは、受信光信号に対する波長分散補償値を設定変更可能の波長分散補償手段と、受信光信号レベル検出手段と、フレーム同期検出手段とを含む構成を有し、監視制御部２は、トランスポンダ１−１〜１−ｎ対応の正常運用状態に於ける波長分散補償値又はトランスポンダ相互間の波長分散補償値の差分の情報を保持する制御テーブルを備えると共に、複数のトランスポンダ１−１〜１−ｎの受信光信号レベル検出手段によるＬＯＬ検出信号と、フレーム同期検出手段によるＬＯＦ検出信号との何れか一方又は両方により、トランスポンダの波長分散補償手段の波長分散補償値を、トランスポンダ１−１〜１−ｎ相互間で大きい差となるように変更設定し、それにより信号疎通状態、即ち、ＬＯＦ解除となるトランスポンダの有無を監視し、信号疎通状態となったトランスポンダの波長分散補償値を基準にして、他のトランスポンダの波長分散補償値を、制御テーブルを参照して正常運用状態に於ける差分に対応した修正波長分散補償値として設定する制御手段を備えている。
【００１４】
本発明の波長多重伝送制御方法は、複数のトランスポンダ１−１〜１−ｎと波長多重分離部と監視制御部とを含む端局装置間で光信号波長を多重化して送受信する波長多重伝送制御方法であって、トランスポンダ１−１〜１−ｎは、波長分散補償値を設定変更可能の波長分散補償手段と、受信光信号レベル検出手段と、フレーム同期検出手段とを含み、監視制御部２は、複数のトランスポンダ１−１〜１−ｎの受信光信号レベル検出手段によるＬＯＬ検出信号とフレーム同期検出手段によるＬＯＦ検出信号との何れか一方又は両方により、トランスポンダ１−１〜１−ｎの波長分散補償手段の波長分散補償値を、トランスポンダ相互間で大きい差となるように変更設定して、信号疎通状態となるトランスポンダをチェックし、ＬＯＬ解除且つＬＯＦ解除により信号疎通状態となったトランスポンダの波長分散補償値を基準にして、他のトランスポンダの波長分散補償値を、正常運用時の各トランスポンダの波長分散補償値の差分に従った差分の波長分散補償値に修正する過程を含むものである。
【実施例１】
【００１５】
図１は、本発明の実施例１の説明図であり、端局装置の主要部を示し、１−１〜１−ｎはトランスポンダ、２は監視制御部、３は波長多重分離部を示す。トランスポンダ１−１〜１−ｎは、例えば、それぞれ波長λ１１〜λ１ｎの光信号を受信し、波長λ２１〜λ２ｎの光信号を送信する送受信制御手段と、波長分散補償値を設定変更可能の波長分散補償手段と、受信光信号レベル検出手段と、フレーム同期検出手段とを含む構成を有し、波長多重分離部３は、トランスポンダ１−１〜１−ｎからの波長λ１１〜λ１ｎの送信光信号を多重化して光伝送路に送信又は光増幅部により増幅して光伝送路に送信し、トランスポンダ１−１〜１−ｎに対しては、それぞれ多重分離した波長λ２１〜λ２ｎの受信光信号を入力する。この波長多重分離部３は、既に知られている各種構成を適用することができる。又監視制御部２は、トランスポンダ１−１〜１−ｎの送受信光信号波長の割当設定や、トランスポンダ１−１〜１−ｎ対応に波長分散補償制御を行う制御手段を含み、且つ割当てたトランスポンダ１−１〜１−ｎ対応の光信号波長と、それぞれ基準となる波長分散補償値とを含む情報を記録する制御テーブルを備えて、受信光信号に対するレベルが所定閾値以上であるか否か、及びフレーム同期確立により受信処理が可能か否か等の受信状態情報を基に、波長分散補償制御を行う制御構成を備えている。
【００１６】
監視制御部２は、システム立上げ時に、各トランスポンダ１−１〜１−ｎに割当てる光信号波長と、この光信号波長に対応した基準となる波長分散補償値と、送受信光信号のレベルとを含む制御情報を所定値に維持する為の光増幅部の増幅率等を含む情報を保持し、且つトランスポンダ１−１〜１−ｎからの受信状態情報により、光信号の伝送が正常か否かを判断する。例えば、光信号の受信レベルが所定値以上であるか否か、及び受信フレーム同期引込状態であるか否か等の受信状態情報により、伝送径路が正常であるか否かを判断することができる。例えば、全トランスポンダ１−１〜１−ｎからＬＯＳ（Ｌｏｓｓ  ｏｆ  Ｓｉｇｎａｌ）検出信号が送出された場合、光信号断又はそれに近い受信状態であるから、ＬＯＦ（Ｌｏｓｓ  ｏｆ  Ｆｒａｍｅ）検出信号も送出されることになり、光伝送路断や波長多重分離部３の障害と判断し、警報送出等により保守者に通知する。又一部のトランスポンダからのＬＯＳ検出信号が送出された場合を含むＬＯＦ検出信号が全トランスポンダ１−１〜１−ｎから送出された場合、又は大多数のトランスポンダからＬＯＦ検出信号が送出された場合、波長分散値が大きく変化する可能性があり、監視制御部２は、全トランスポンダ１−１〜１−ｎ又はＬＯＦ検出信号を送出したトランスポンダに対して、波長分散補償値を、一時的に、所定の間隔となるように設定制御し、何れのトランスポンダのＬＯＦ解除が行われたかを監視し、ＬＯＦ解除となって信号疎通状態となったトランスポンダの波長分散補償値を基に、他のトランスポンダの波長分散補償値を、正常運用時の波長分散補償値の間隔に従って修正設定制御する。それにより、各トランスポンダの波長分散補償値が受信波長対応に修正されたことになり、正常受信状態に移行することができる。
【００１７】
図２は、本発明の実施例１のトランスポンダの説明図であり、１０はトランスポンダ、１１は波長分散補償手段としての個別分散制御部、１２，１５は光信号レベル検出手段を含む光受信部、１３，１６はフレーム同期検出手段を含む信号処理部、１４，１７は光送信部、２０は監視制御部、２１は制御テーブルを示し、図１に於ける例えばトランスポンダ１−１と監視制御部２との構成を示し、図１に於ける波長多重分離部３は、波長多重分離部側として、その図示を省略し、又トランスポンダ１０に接続される端末装置等は、クライアント側として、その図示を省略している。又監視制御部２０は、制御テーブル２１を含み、この制御テーブル２１には、複数のトランスポンダ対応にそれぞれ割当てた送受信光信号の波長と、この光信号波長による正常運用時の波長分散補償値又は隣接トランスポンダの波長分散補償値との差分値と、この光信号に対して基準となる受信レベルとを記録する。この場合、光信号波長は、ほぼ等間隔に設定し、光信号波長対応の波長分散補償値は、光伝送路の特性により種々の値となるが、ほぼ等間隔となる場合が多い。このような正常運用状態に於けるトランスポンダ対応の光信号波長と波長分散補償値とを制御テーブル２１に記録しておくものである。なお、基準とした波長分散補償値に対する差分値を記録することもできる。又システム運用中に光信号波長対応の分散補償値が大幅に変更になった場合は、変更された分散補償値を光信号波長対応に記録する。
【００１８】
個別分散制御部１１は、監視制御部２０から波長分散補償値を設定して、受信状態情報に従って波長分散補償値の微調整制御を行う構成又は所定範囲の自動波長分散補償制御機能を有する構成とすることができる。例えば、監視制御部２０により波長分散補償値の中心値を設定して、その設定波長分散補償値に基づいた波長分散補償制御を行う構成とすることもできる。又個別分散制御部１１により波長分散補償処理を行った受信光信号を入力する光受信部１２は、光信号増幅手段やレベル識別手段を含み、受信光信号を所定のレベルに増幅し、電気信号に変換して信号処理部１３へ転送する。この場合、自動利得制御手段を含む構成を設けて、信号処理部１３へ所定のレベルの電気信号を転送する。或いは、監視制御部２０から光受信部１２の光受信利得制御を行う制御構成とすることも可能である。又受信光信号レベルが所定値以下で信号識別が不可能の場合、ＬＯＬ検出信号を監視制御部２０へ送出する。又信号処理部１３は、フレーム同期をとって受信信号処理を行い、クライアント側へ送信するフォーマットに変換して、光送信部１４へ転送し、この光送信部１４により光信号に変換してクライアント側へ送信する。その場合の信号処理部１３は、フレーム同期がとれない場合に、ＬＯＦ検出信号を監視制御部２０へ送出する。
【００１９】
又クライアント側からの光信号を光受信部１５により受信して電気信号に変換し、信号処理部１６により送信フレームを形成し、光送信部１７により光信号に変換して波長多重分離部側へ送出する。その場合の送信光レベルは、監視制御部２０から制御することも可能であり、又送信光信号レベルを検出して、フィードバック制御により、所定の光信号レベルとする光信号の自動利得制御構成とすることも可能である。
【００２０】
図３は、本発明の実施例１の動作説明図であり、波長分散補償値に基づく光信号の波長分散補償特性の概要を（Ａ）〜（Ｄ）により示すもので、（Ａ）に於けるａ，ｂ，ｃ，ｄ，ｅ・・・は、例えば、トランスポンダ１−１〜１−５・・・対応の光波長λ１，λ２，λ３・・・について、正常運用中に於ける波長分散補償値に基づくトレランス特性を示し、それぞれの最適波長分散補償値の差分を、図２に於ける監視制御部２０の制御テーブル２１に保持する。なお、この波長分散補償値の差分を予め制御テーブル２１に格納しておく代わりに、前述のように、制御テーブル２１にトランスポンダ１−１〜１−ｎ対応の波長分散補償値を記録しておいて、必要な時に、波長分散補償値の相互間の差分を求める構成とすることも可能である。
【００２１】
前述のように、光伝送路の波長分散値が大きく変化し、受信光レベルが所定値を維持しているとしても、光信号波形の乱れにより信号識別が困難となって、全トランスポンダ１−１〜１−ｎ又は殆どのトランスポンダに於いてＬＯＦ検出状態となると、監視制御部２は、制御テーブルに記録したトランスポンダ１−１〜１−ｎ対応の波長分散補償値の何れか一つを基準として、他の波長分散補償値をそれぞれ正常運用中の差分に比較して大きな差分となるように設定制御する。この場合のトランスポンダ対応の波長分散補償値に基づくトレランス特性の概要を（Ｂ）に示す。この場合、（Ａ）と（Ｂ）とのトレランス特性の対応関係を一点鎖線矢印で示す。即ち、トランスポンダ１−１〜１−ｎ対応に、何れかの光信号波長を基準にして等間隔の一時的な波長分散補償値に設定する。又は正常運用中の隣接した光信号波長対応の波長分散補償値の差分に対して、所定の値を乗算した値を、一時的な波長分散補償値として設定することも可能である。
【００２２】
例えば、正常運用中のトランスポンダ１−１〜１−３の光波長λ１〜λ４対応の波長分散補償値が、λ１；−１００ｐｓ／ｎｍ、λ２；−１０５ｐｓ／ｎｍ、λ３；−１１０ｐｓ／ｎｓ、λ４；１１５ｐｓ／ｎｓとすると、この場合の光波長対応の波長分散補償値の差分は、５ｐｓ／ｎｍであり、これらの波長分散補償値の差分情報を、監視制御部２の制御テーブルに記録しておくか、又はそれぞれの光信号波長対応の波長分散補償値を記録しておくものである。そして、トランスポンダ１−１〜１−ｎがＬＯＦ検出状態となると、監視制御部２は、正常運用状態に於ける一つの光波長に対する波長分散補償値を基準にして、他の光波長に対する波長分散補償値のそれぞれの差分が大きくなるように、それぞれ同一値又は所定の割合の波長分散補償値を加減算して設定する。例えば、光波長λ２を基準として、それぞれ５０ｐｓ／ｎｍの波長分散補償値の差が隣接光信号波長間に生じるように設定すると、光波長λ１〜λ４対応の波長分散補償値は、λ１；−５５ｐｓ／ｎｍ、λ２；−１０５ｐｓ／ｎｍ（基準値とした場合で変更なし）、λ３；−１５５ｐｓ／ｎｍ、λ４；−２０５ｐｓ／ｎｍとなる。なお、光波長対応の波長分散補償値を広範囲にわたって分散設定するもので、基準とした波長分散補償値に対する増減値は、一定の割合、一定の差分或いは一定の増減率とすることが可能である。
【００２３】
光信号の受信レベルが所定値以上である場合、トランスポンダ１−１〜１−ｎからはＬＯＳが監視制御部２へは送出されない受信状態であり、又波長分散補償値が広範囲にわたって設定されている状態であるから、何れかのトランスポンダに於いて受信信号識別可能の波長分散補償値が設定されていることになり、フレーム同期引込みが可能のトランスポンダが含まれることになる。従って、ＬＯＦ解除のトランスポンダを監視制御部２により識別し、例えば、受信光信号波長λ２のトランスポンダ１−２に於いてＬＯＦ解除の信号疎通状態となると、このトランスポンダ１−２の波長分散補償値を基準としていたから、他のトランスポンダの波長分散補償値を最初の状態に復帰させる。それにより、全トランスポンダ１−１〜１−ｎのＬＯＦ解除の可能性を高くし、正常運用状態に迅速に復帰させることができる。又この場合、受信光信号波長λ１のトランスポンダ１−１に於いてＬＯＦ解除となると、このトランスポンダ１−１の波長分散補償値を、基準値に対して−５０ｐｓ／ｎｍとして設定していたから、他のトランスポンダ１−２〜１−ｎの波長分散補償値の初期値を５０ｐｓ／ｎｍ減算した波長分散補償値を設定する。前述の例の場合、λ１；−５０ｐｓ／ｎｍ、λ２；−５５ｐｓ／ｎｍ、λ３；−６０ｐｓ／ｎｍ、λ４；−６５ｐｓ／ｎｍの修正波長分散補償値となる。このように、波長分散補償値の再設定制御によるトレランス特性の概要を、図３の（Ｃ）に示す。
【００２４】
又図３の（Ｄ）は、光伝送路の波長分散値とＦＥＣ（ｆｏｒｗａｒｄ  ｅｒｒｏｒ  Ｃｏｒｒｅｃｔｉｏｎ）とによるトレランス特性の概要を示すもので、或る波長の光信号の波長分散特性について、所定のＦＥＣ以下の範囲が信号疎通範囲であり、そのＦＥＣが最小となる黒丸で示す位置となるように、波長分散値を補償することが最適であり、その黒丸を中心として、波長分散補償値を自動制御することができる。なお、全トランスポンダのＬＯＦ検出時でなく、大多数のトランスポンダのＬＯＦ検出によって前述のような波長分散補償値の再設定制御を行うことも可能であり、その場合に、全トランスポンダ対応に波長分散補償値の再設定制御を行うか、又はＬＯＦ検出のトランスポンダに対してのみ波長分散補償値の再設定制御を行うかを、監視制御部２に於いて判断させる制御構成とすることも可能である。
【符号の説明】
【００２５】
１−１〜１−ｎ  トランスポンダ
２  監視制御部
３  波長多重分離部
１０  トランスポンダ
１１  個別分散制御部
１２、１５  光受信部
１３、１６  信号処理部
１４、１７  光送信部
２０  監視制御部
２１  制御テーブル
【図１】
2010187081.tif 000003
【図２】
2010187081.tif 000004
【図３】
2010187081.tif 000005
【図４】
2010187081.tif 000006